(57)【要約】【課題】ユーザの睡眠を考慮して迅速且つ確実に監視領域の火災を検出すること。【解決手段】  ユーザが存在する領域である監視領域の火災を検出する防災端末１００であって、ユーザの睡眠について判定する睡眠判定部８１と、監視領域の空気中の検出対象の物理量を検出するセンサ５と、センサ５の検出結果に基づいて、監視領域の火災を検出するための火災検出部８２と、センサ５に対して監視領域の空気を送るファン６とを備え、ファン６は、睡眠判定部８１の判定結果に基づいて、監視領域の空気を送るための状態を変化させ、特に、睡眠判定部８１は、ユーザが睡眠しているか否かを判定し、ファン６は、睡眠判定部８１でユーザが睡眠しているものと判定した場合に、センサ５に対して送られる空気の量を増大させる。【選択図】図２
2017151699.tif 000002
【特許請求の範囲】
【請求項１】
ユーザが存在する領域である監視領域の火災を検出する防災システムであって、
前記ユーザの睡眠について判定する睡眠判定手段と、
前記監視領域の空気中の検出対象の物理量を検出する検出対象検出手段と、
前記検出対象検出手段の検出結果に基づいて、前記監視領域の火災を検出するための火災検出手段と、
前記検出対象検出手段に対して前記監視領域の空気を送る送風手段と、を備え、
前記送風手段は、前記睡眠判定手段の判定結果に基づいて、前記監視領域の空気を送るための状態を変化させる、
防災システム。
【請求項２】
前記睡眠判定手段は、前記ユーザが睡眠しているか否かを判定し、
前記送風手段は、前記睡眠判定手段が前記ユーザが睡眠しているものと判定した場合に、前記検出対象検出手段に対して送られる空気の量を増大させる、
請求項１に記載の防災システム。
【請求項３】
前記火災検出手段の検出結果に基づいて、火災についての警報を行う火災警報手段、を備える、
請求項１又は２に記載の防災システム。
【請求項４】
前記火災警報手段は、警報態様を変化させることが可能となっている、
請求項３に記載の防災システム。
【請求項５】
少なくとも前記検出対象検出手段は、前記ユーザが睡眠する場合の当該ユーザの周囲に設けられる装置、家具、又は寝具に組み込まれている、
請求項１から４のいずれか一項に記載の防災システム。
【発明の詳細な説明】
【技術分野】
【０００１】
本発明は、防災システムに関する。
【背景技術】
【０００２】
従来、監視領域の火災を検知する技術として、火災に伴って発生する検出対象（例えば、煙）を検出して、検出結果に基づいて火災を検知する火災警報器が知られていた（例えば、特許文献１参照）。
【先行技術文献】
【特許文献】
【０００３】
【特許文献１】特開２０１４−５６４２０号公報
【発明の概要】
【発明が解決しようとする課題】
【０００４】
一方、火災の種類の一つとして、寝煙草を行った場合の煙草の火種がユーザの寝具等に落ちてしまい、当該寝具が焼けてしまう等の原因によって発生する火災であって、火災発生の初期段階において、炎はほとんど上がらないが、火源の周辺で局所的に有毒ガス（例えば、煙、一酸化炭素、二酸化炭素、又はシアン化水素等）の濃度が上昇するような火災（以下、燻焼火災）がある。このような「燻焼火災」が発生した場合、火災発生の初期段階において、火源の周辺（例えば、睡眠中のユーザの口元付近）で局所的に有毒ガスの濃度が上昇し、当該有毒ガスを吸ったユーザが、有毒ガス中毒に至るなど危険な状態となる可能性があった。
【０００５】
しかしながら、特許文献１の火災警報器を含めて一般的な火災警報器については、天井や壁面の上端近傍等の、睡眠中のユーザから離れた位置に設けられているので、「燻焼火災」が発生してから火災警報器の周辺の検出対象の濃度が上昇するまでに、比較的長時間を要することにより、火災を検知するのが遅れてしまい、睡眠中のユーザが有毒ガスを吸って当該ユーザが有毒ガス中毒に至るなど危険な状態に至る可能性があった。
【０００６】
本発明は上記問題に鑑みてなされたもので、ユーザの睡眠を考慮して迅速且つ確実に監視領域の火災を検出することを目的とする。
【課題を解決するための手段】
【０００７】
上述した課題を解決し、目的を達成するために、請求項１に記載の防災システムは、ユーザが存在する領域である監視領域の火災を検出する防災システムであって、前記ユーザの睡眠について判定する睡眠判定手段と、前記監視領域の空気中の検出対象の物理量を検出する検出対象検出手段と、前記検出対象検出手段の検出結果に基づいて、前記監視領域の火災を検出するための火災検出手段と、前記検出対象検出手段に対して前記監視領域の空気を送る送風手段と、を備え、前記送風手段は、前記睡眠判定手段の判定結果に基づいて、前記監視領域の空気を送るための状態を変化させる。
【０００８】
また、請求項２に記載の防災システムは、請求項１に記載の防災システムにおいて、前記睡眠判定手段は、前記ユーザが睡眠しているか否かを判定し、前記送風手段は、前記睡眠判定手段が前記ユーザが睡眠しているものと判定した場合に、前記検出対象検出手段に対して送られる空気の量を増大させる。
【０００９】
また、請求項３に記載の防災システムは、請求項１又は２に記載の防災システムにおいて、前記火災検出手段の検出結果に基づいて、火災についての警報を行う火災警報手段、を備える。
【００１０】
また、請求項４に記載の防災システムは、請求項３に記載の防災システムにおいて、前記火災警報手段は、警報態様を変化させることが可能となっている。
【００１１】
また、請求項５に記載の防災システムは、請求項１から４のいずれか一項に記載の防災システムにおいて、少なくとも前記検出対象検出手段は、前記ユーザが睡眠する場合の当該ユーザの周囲に設けられる装置、家具、又は寝具に組み込まれている。
【発明の効果】
【００１２】
請求項１に記載の防災システムによれば、睡眠判定手段の判定結果に基づいて、監視領域の空気を送るための状態を変化させることにより、例えば、ユーザの睡眠を考慮して検出対象検出手段に空気を送るための状態を変化させることができるので、ユーザの睡眠を考慮して迅速且つ確実に監視領域の火災を検出することができる。特に、例えば、睡眠中のユーザの口元付近の空気を検出対象検出手段に送ることができるので、前述の「燻焼火災」の発生直後に火災を検出することができ、睡眠中のユーザが有毒ガスを吸って有毒ガス中毒等を引き起こすのを防止することができる。
【００１３】
請求項２に記載の防災システムによれば、ユーザが睡眠しているものと判定した場合に、検出対象検出手段に対して送られる空気の量を増大させることにより、例えば、ユーザが睡眠している場合に監視領域の火災を迅速に検出することができるので、睡眠中におけるユーザの安全性を確実に確保することができる。また、例えば、ユーザの口元付近の一酸化炭素ガスを、ユーザの口元付近から遠ざけることができるので、睡眠中のユーザが一酸化炭素ガスを吸うのを効果的に防止することができる。
【００１４】
請求項３に記載の防災システムによれば、火災についての警報を行うことにより、例えば、監視領域における火災をユーザ等に警報することができるので、ユーザの安全性を一層確実に確保することができる。
【００１５】
請求項４に記載の防災システムによれば、警報態様を変化させることが可能となっていることにより、例えば、睡眠中のユーザを起こす（覚醒させる）ことができるので、ユーザの安全性をより一層確実に確保することができる。
【００１６】
請求項５に記載の防災システムによれば、検出対象検出手段が、ユーザが睡眠する場合の当該ユーザの周囲に設けられる装置、家具、又は寝具に組み込まれていることにより、例えば、検出対象検出手段を睡眠中のユーザの周辺に設けることができるので、監視領域の検出対象の物理量を迅速に検出することができ、より迅速に監視領域の火災を検出することができる。
【図面の簡単な説明】
【００１７】
【図１】実施の形態に係る監視領域内に設けられている防災端末を示す図である。
【図２】防災端末を示すブロック図である。
【図３】風量特定情報を例示した図である。
【図４】防災処理のフローチャートである。
【発明を実施するための形態】
【００１８】
以下に、本発明に係る防災システムの実施の形態を図面に基づいて詳細に説明する。なお、この実施の形態によりこの発明が限定されるものではない。
【００１９】
〔実施の形態の基本的概念〕
まずは、実施の形態の基本的概念について説明する。実施の形態は、概略的に、ユーザが存在する領域である監視領域の火災を検出する防災システムであり、ユーザの睡眠について判定する睡眠判定手段と、監視領域の空気中の検出対象の物理量を検出する検出対象検出手段と、検出対象検出手段の検出結果に基づいて、監視領域の火災を検出するための火災検出手段と、検出対象検出手段に対して監視領域の空気を送る送風手段とを備える防災システムであって、睡眠判定手段の判定結果に基づいて、送風手段における、監視領域の空気を送るための状態を変化させる防災システムに関するものである。
【００２０】
ここで、「防災システム」とは、監視領域の火災を検出するシステムであって、具体的には、複数の装置によって構成されたもの、又は単一の装置によって構成されたものを含む概念である。また、この「防災システム」は、ユーザが睡眠する場合の当該ユーザの周囲に設けられる装置、家具、又は寝具に組み込まれているものとして構成してもよいし、当該ユーザの周囲に設けられる装置として新たに構成してもよく、例えば、スマートフォンの如き端末装置、当該スマートフォンのクレードル、ベッド、枕、布団、目覚まし時計、目覚まし時計の周辺（ビジネスホテルのベッドサイドのデジタル時計周辺を含む）、又は空気清浄器等に組み込まれているものとして構成してもよいし、ユーザの周囲に設けられる装置であるユーザ用端末装置として新たに構成してもよいものである。
【００２１】
また、「監視領域」とは、防災システムによる監視の対象となっている領域であって、ユーザが存在する領域であり、具体的には、一定の広がりを持った空間であり、例えば、建物の寝室、リビング等を含む概念である。また、「監視領域の検出対象」とは、検出対象検出手段による検出対象であり、具体的には、監視領域の空気中に存在するものでありって、火災に関連するものであり、例えば、有毒ガス（例えば、煙、一酸化炭素ガス（以下、ＣＯガス）、二酸化炭素、又はシアン化水素等）等を含む概念である。
【００２２】
また、「ユーザの睡眠について判定する」とは、ユーザの睡眠に関して判定を行うことであり、具体的には、ユーザが睡眠しているか否かを判定すること、及びユーザの睡眠の状態（具体的には、睡眠の深さ）を判定することを含む概念である。
【００２３】
また、「送風手段」とは、検出対象検出手段に対して監視領域の空気を送るものであり、具体的には、空気を送るための状態を変化させることが可能なものであり、例えば、プロペラを有するプロペラファン、又はランナーを有するブロワ等を含む概念である。
【００２４】
また、「監視領域の空気を送るための状態を変化させる」とは、送風手段の状態を変化させることであって、具体的には、送風手段が動作する状態と、送風手段が動作しない状態との間において、一方の状態から他方の状態に変化させること、及び、送風手段の風量を変化させること等を含む概念である。
【００２５】
以下に示す実施の形態では、「防災システム」が「単一の装置」であって「端末装置」に組み込まれている「防災端末」であり、「監視領域」が「寝室」であり、「監視領域の検出対象」が「ＣＯガス」であり、「送風手段」が「プロペラファン」である場合において、「送風手段」の風量を変化させる場合について説明する。
【００２６】
（構成）
まず、本実施の形態に係る防災端末の構成について説明する。図１は、本実施の形態に係る監視領域内に設けられている防災端末を示す図であり、図２は、防災端末を示すブロック図である。この防災端末１００は、防災システムであり、概略的に、通信部１、タッチパッド２、ディスプレイ３、スピーカ４、センサ５、ファン６、記録部７、及び制御部８を備えている。
【００２７】
（構成−通信部）
通信部１は、不図示の防災センターとの間でネットワークを介した通信を行う通信手段であり、特に、火災についての警報を行う火災警報手段である。この通信部１の具体的な種類や構成は任意であるが、例えば、公知の移動体無線通信手段を用いることができる。
【００２８】
（構成−タッチパッド）
タッチパッド２は、ユーザの指等で押圧されることにより、当該ユーザから各種操作入力を受け付ける操作手段である。このタッチパッド２は、透明又は半透明状に形成され、ディスプレイ３の前面において当該ディスプレイ３の表示面と重畳するように設けられてタッチパネルとして形成されている。このタッチパッド２としては、例えば、抵抗膜方式や静電容量方式等による操作位置検出手段を備えた公知のタッチパッドを用いることができる。
【００２９】
（構成−ディスプレイ）
ディスプレイ３は、後述する制御部８の制御に基づいて各種の画像を表示する表示手段であり、特に、火災についての警報を行う火災警報手段である。このディスプレイ３の具体的な構成は任意であり、例えば、公知の液晶ディスプレイや有機ＥＬディスプレイの如きフラットパネルディスプレイ等を用いることができる。
【００３０】
（構成−スピーカ）
スピーカ４は、後述する制御部８の制御に基づいて情報を音声にて出力する音声出力手段であり、特に、火災についての警報を行う火災警報手段である。このスピーカ４から出力される音声の具体的な態様は任意であり、必要に応じて生成された合成音声や、予め録音された音声を出力することができる。
【００３１】
（構成−センサ）
センサ５は、監視領域の検出対象の物理量を検出する検出対象検出手段であり、特に、監視領域における空気中のＣＯガスの濃度を検出するものである。このセンサ５の具体的な構成は任意であり、例えば、防災端末１００の不図示の筐体の内部に設けられているものであって、当該筐体の不図示の空気孔を介して後述する送風手段６が当該筐体の外部から内部に向かって送風した空気に含まれているＣＯガスの濃度を検出するものであり、より詳細には、電気化学式ガスセンサ等の公知のセンサを用いることができる。
【００３２】
（構成−ファン）
ファン６は、センサ５に対して監視領域の空気を送る送風手段である。このファン６の具体的な構成は任意であり、例えば、単位時間当たりの回転数を変化させることにより、風量（つまり、筐体の不図示の空気孔を介してセンサ５に送られる空気の量）を変化させることが可能であるプロペラファン等の公知のファンを用いることができる。
【００３３】
（構成−記録部）
記録部７は、防災端末１００の動作に必要なプログラム及び各種のデータを記録する記録手段であり、例えば、外部記録装置としてのハードディスク（図示省略）を用いて構成されている。ただし、ハードディスクに代えてあるいはハードディスクと共に、磁気ディスクの如き磁気的記録媒体、ＤＶＤやブルーレイディスクの如き光学的記録媒体、又はＦｌａｓｈ、ＲＯＭ、ＵＳＢメモリ、ＳＤカードの如き電気的記録媒体を含む、その他の任意の記録媒体を用いることができる。
【００３４】
また、この記録部７には、風量特定情報が格納されている。「風量特定情報」とは、防災端末１００におけるファン６の風量（つまり、センサ５に送られる空気の量）を特定する情報である。図３は、風量特定情報を例示した図である。この図３に示すように、風量特定情報は、項目「睡眠情報」、項目「風量情報」、及び項目「回転数情報」と、各項目に対応する情報とを、相互に関連付けて構成されている。ここで、項目「睡眠情報」に対応する情報は、睡眠しているか否か及び睡眠の深さを特定する睡眠情報である（図３では、覚醒していること（つまり、睡眠していないこと）を示す「覚醒」、睡眠しており、且つ、睡眠が浅いことを示す「睡眠（浅い）」、睡眠しており、且つ、睡眠が深いことを示す「睡眠（深い）」）。また、項目「風量情報」に対応する情報は、ファン６の回転によって、防災端末１００の不図示の空気孔を介して不図示の筐体の外部から内部のセンサ５に送られる風量を特定する情報である（図３では、風量が少ないことを示す「少」、「少」よりも風量が多いことを示す「中」、「中」よりも風量が多いことを示す「多」）。また、項目「回転数情報」に対応する情報は、ファン６の回転数（具体的には、ファン６おプロペラの単位時間当たりの回転数）を特定する情報である（図３では、単位：ｒｐｍであり、「３００」、「５００」、「７００」）。そして、この風量特定情報については、タッチパッド２を用いて入力されて格納されるものとする。
【００３５】
（構成‐制御部）
また、図２の制御部８は、防災端末１００を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。特に、実施の形態に係る制御プログラムは、任意の記録媒体又はネットワークを介して防災端末１００にインストールされることで、制御部８の各部を実質的に構成する。
【００３６】
制御部８は、機能概念的に、睡眠判定部８１、及び火災検出部８２を備えている。睡眠判定部８１は、ユーザの睡眠について判定する睡眠判定手段である。また、火災検出部８２は、センサ５の検出結果に基づいて、監視領域の火災を検出するための火災検出手段である。なお、この制御部８の各部により行われる処理については、後述する。
【００３７】
（処理）
次に、このように構成される防災端末１００によって実行される、防災処理について説明する。図４は、防災処理のフローチャートである（以下の各処理の説明ではステップを「Ｓ」と略記する）。「防災処理」とは、防災に関する処理であり、具体的には、監視領域の火災を検出する処理である。この防災処理を実行するタイミングは任意のタイミングであるが、例えば、防災端末１００の電源をオンした状態において、タッチパッド２を介してユーザが起動操作を行った後に起動されて実行するものとして、防災処理が起動されたところから説明する。また、図１に示すように、防災端末１００がベッド上（具体的には、ベッド上に横たわっている人の動きが伝達される位置であって、後述する図４のＳＡ１及びＳＡ２にて防災端末１００に人の動きが伝達されて、睡眠を適切に判定することができる任意の位置であり、例えば、枕元）に置かれているものとして、以下、説明する。
【００３８】
まず、図４に示すように、ＳＡ１において睡眠判定部８１は、ユーザが睡眠しているか否かを判定する。睡眠しているか否かを判定する手法については、公知の手法を含む任意の手法を用いることができるが、ここでは、例えば、図２の防災端末１００に対して加速度センサの如き加速度検出手段（不図示）が設けられているものとして、この加速度検出手段の検出結果に基づいて、判定する手法を用いるものとして、以下説明する。具体的には、ベッド又は布団等を介して、防災端末１００の加速度検出手段に伝達される人の動きについて、睡眠している場合の動きが、覚醒している場合（つまり、睡眠していない場合）の動きよりも小さいこと、及び、睡眠が深くなるにつれて人の動きが小さくなること等に着目して、加速度検出手段の検出結果に基づいて、ユーザが睡眠しているか否かを判定する。なお、「加速度検出手段の検出結果に基づいて、ユーザが睡眠しているか否かを判定する」具体的な手法については、公知の手法（例えば、加速度検出手段の検出結果を基準値と比較する手法等）を用いることができるので、詳細な説明については、省略する。そして、ユーザが睡眠していると判定した場合（ＳＡ１のＹＥＳ）、ＳＡ２に移行する。また、ユーザが睡眠していないと判定した場合（ＳＡ１のＮＯ）、ＳＡ６に移行する。
【００３９】
図４に戻って、ＳＡ２において睡眠判定部８１は、ユーザの睡眠の状態（具体的には、睡眠の深さ）の判定として、ユーザの睡眠が深いか否か（ノンレム睡眠かレム睡眠か）を判定する。ユーザの睡眠の状態を判定する手法については、公知の手法を含む任意の手法を用いることができるが、ここでは、例えば、ＳＡ１の場合と同様にして、図２の防災端末１００の不図示の加速度検出手段の検出結果に基づいて、判定する手法を用いるものとして、以下説明する。具体的には、ベッド又は布団等を介して、防災端末１００の加速度検出手段に伝達される人の動きについて、睡眠している場合の動きが、覚醒している場合（つまり、睡眠していない場合）の動きよりも小さいこと、及び、睡眠が深くなるにつれて人の動きが小さくなること等に着目して、加速度検出手段の検出結果に基づいて、ユーザの睡眠が深いか否かを判定する。なお、「加速度検出手段の検出結果に基づいて、ユーザの睡眠が深いか否かを判定する」具体的な手法については、公知の手法（例えば、加速度検出手段の検出結果を基準値と比較する手法等）を用いることができるので、詳細な説明については、省略する。そして、ユーザの睡眠が深いと判定した場合（ＳＡ２のＹＥＳ）、ＳＡ３に移行する。また、ユーザの睡眠が深くないと判定した場合（つまり、ユーザの睡眠が浅いと判定した場合）（ＳＡ２のＮＯ）、ＳＡ７に移行する。
【００４０】
図４に戻って、ＳＡ３において制御部８は、風量を設定する（つまり、図２のファン６は、センサ５に送られる空気の量を調整する）。具体的には、図３の風量特定情報を参照して、図４のＳＡ１及びＳＡ２の判定結果に対応する「回転数情報」を取得し、取得した「回転数情報」が特定する「回転数」を、図２のファン６の回転数として設定し、設定した回転数にてファン６のプロペラを回転させる。より詳細には、「ＳＡ１の判定結果」＝「ユーザが睡眠している」及び「ＳＡ２の判定結果」＝「ユーザの睡眠が深い」であるので、図３の「睡眠情報」＝「睡眠（深い）」に対応する「回転数情報」＝「７００」を取得し、取得した「回転数情報」＝「７００」が特定する「回転数」＝「７００（ｒｐｍ）」を、図２のファン６の回転数として設定し、設定した「回転数」＝「７００（ｒｐｍ）」にてファン６のプロペラを回転させる。
【００４１】
図４に戻って、ＳＡ４において火災検出部８２は、火災が発生しているか否かを判定する（つまり、火災を検出する）。火災が発生しているか否かを判定する手法については、公知の手法を含む任意の手法を用いることができるが、ここでは、例えば、図２の記録部７に監視領域における火災発生を検出（判定）するために用いられる閾値である「火災判定閾値」がタッチパッド２を介して入力されて格納されており、格納されている「火災判定閾値」と図２のセンサ５の検出結果（つまり、ＣＯガスの濃度）とを比較して、比較結果に基づいて、判定する手法を用いるものとして、以下説明する。具体的には、図２のセンサ５の検出結果を取得し、また、記録部７の火災判定閾値を取得した上で、これらの取得した検出結果と取得した火災判定閾値とを比較して、比較結果に基づいて、火災が発生しているか否かを判定する。そして、取得した検出結果が取得した火災判定閾値を超えている場合、火災が発生しているものと判定して（ＳＡ４のＹＥＳ）、ＳＡ５に移行する。また、取得した検出結果が取得した火災判定閾値を超えていない場合、火災が発生していないものと判定して（ＳＡ４のＮＯ）、ＳＡ１に移行する。ここでは、例えば、「火災判定閾値」＝「３０（ｐｐｍ）」が記憶部７に記憶されているものとして、以下説明する。ＳＡ３においてファン６が「回転数」＝「７００（ｒｐｍ）」にて高速回転しているので、大量の空気が、図２の防災端末１００の不図示の空気孔を介して取り込まれることになり、つまり、ユーザの口元付近の空気も大量に取り込まれることになり、「図２のセンサ５の検出結果」＝「４０（ｐｐｍ）」となっている場合を例示して、説明する。この場合、「センサ５の検出結果」＝「４０（ｐｐｍ）」を取得し、また、「記録部７の直近に設定した火災判定閾値」＝「３０（ｐｐｍ）」を取得した上で、これらの取得した検出結果と取得した火災判定閾値とを比較して、「センサ５の検出結果」＝「４０（ｐｐｍ）」が「記録部７の火災判定閾値」＝「３０（ｐｐｍ）」を超えているので、火災が発生しているものと判定する。
【００４２】
図４に戻って、ＳＡ５において制御部８は、火災発生についての警報を行って、処理を終了する。警報を行う態様である警報態様については、ユーザの安全性を確保できる態様である限りにおいて任意であるが、ここでは、例えば、図２の通信部１、ディスプレイ３、及びスピーカ４を用いて、以下に示す警報を行うものとする。具体的には、通信部１を介して、防災センターに対して火災が発生したことを報知する信号である移報信号を送信する。また、ディスプレイ３を介して、火災が発生したことを示す画像、又は「火災が発生しました」等のテキスト情報を表示する。また、スピーカ４を介して、「火災が発生しました」等の音声情報を出力する。
【００４３】
なお、図４のＳＡ１にてユーザが睡眠していないと判定した（ＳＡ１のＮＯ）後のＳＡ６において、制御部８は、風量を設定する（つまり、図２のファン６は、センサ５に送られる空気の量を調整する）。具体的には、図３の風量特定情報を参照して、図４のＳＡ１の判定結果に対応する「回転数情報」を取得し、取得した「回転数情報」が特定する「回転数」を、図２のファン６の回転数として設定し、設定した回転数にてファン６のプロペラを回転させる。より詳細には、「ＳＡ１の判定結果」＝「ユーザが睡眠していない」であるので、図３の「睡眠情報」＝「覚醒」に対応する「回転数情報」＝「３００」を取得し、取得した「回転数情報」＝「３００」が特定する「回転数」＝「３００（ｒｐｍ）」を、図２のファン６の回転数として設定し、設定した「回転数」＝「３００（ｒｐｍ）」にてファン６のプロペラを回転させる。
【００４４】
この後の図４のＳＡ４において火災検出部８２は、前述したように、火災が発生しているか否かを判定する（つまり、火災を検出する）。ここでは、例えば、ＳＡ６においてファン６が「回転数」＝「３００（ｒｐｍ）」にて低速回転しているので、少量の空気（具体的には、ＳＡ３の場合よりも極めて少ない空気）が、図２の防災端末１００の不図示の空気孔を介して取り込まれることになり、つまり、ユーザの口元付近の空気が少量取り込まれることになり、「図２のセンサ５の検出結果」＝「１５（ｐｐｍ）」となっている場合を例示して、説明する。この場合、「センサ５の検出結果」＝「１５（ｐｐｍ）」を取得し、また、「記録部７の直近に設定した火災判定閾値」＝「３０（ｐｐｍ）」を取得した上で、これらの取得した検出結果と取得した火災判定閾値とを比較して、「センサ５の検出結果」＝「１５（ｐｐｍ）」が「記録部７の火災判定閾値」＝「３０（ｐｐｍ）」を超えていないので、火災が発生していないものと判定する。
【００４５】
また、図４のＳＡ２にてユーザの睡眠が深くないと判定した（ＳＡ２のＮＯ）後のＳＡ７において、制御部８は、風量を設定する（つまり、図２のファン６は、センサ５に送られる空気の量を調整する）。具体的には、図３の風量特定情報を参照して、図４のＳＡ１及びＳＡ２の判定結果に対応する「回転数情報」を取得し、取得した「回転数情報」が特定する「回転数」を、図２のファン６の回転数として設定し、設定した回転数にてファン６のプロペラを回転させる。より詳細には、「ＳＡ１の判定結果」＝「ユーザが睡眠している」及び「ＳＡ２の判定結果」＝「ユーザの睡眠が浅い」であるので、図３の「睡眠情報」＝「睡眠（浅い）」に対応する「回転数情報」＝「５００」を取得し、取得した「回転数情報」＝「５００」が特定する「回転数」＝「５００（ｒｐｍ）」を、図２のファン６の回転数として設定し、設定した「回転数」＝「５００（ｒｐｍ）」にてファン６のプロペラを回転させる。
【００４６】
この後の図４のＳＡ４において火災検出部８２は、前述したように、火災が発生しているか否かを判定する（つまり、火災を検出する）。ここでは、例えば、ＳＡ６においてファン６が「回転数」＝「５００（ｒｐｍ）」にて中速回転しているので、中量の空気（具体的には、ＳＡ３の場合よりも少なく、且つ、ＳＡ６の場合よりも多い空気）が、図２の防災端末１００の不図示の空気孔を介して取り込まれることになり、つまり、ユーザの口元付近の空気が少量取り込まれることになり、「図２のセンサ５の検出結果」＝「２０（ｐｐｍ）」となっている場合を例示して、説明する。この場合、「センサ５の検出結果」＝「２０（ｐｐｍ）」を取得し、また、「記録部７の直近に設定した火災判定閾値」＝「３０（ｐｐｍ）」を取得した上で、これらの取得した検出結果と取得した火災判定閾値とを比較して、「センサ５の検出結果」＝「２０（ｐｐｍ）」が「記録部７の火災判定閾値」＝「３０（ｐｐｍ）」を超えていないので、火災が発生していないものと判定する。これにて、防災処理を終了する。
【００４７】
（実施の形態の効果）
このように本実施の形態によれば、睡眠判定部８１の判定結果に基づいて、監視領域の空気を送るための状態を変化させることにより、例えば、ユーザの睡眠を考慮してセンサ５に空気を送るための状態を変化させることができるので、ユーザの睡眠を考慮して迅速且つ確実に監視領域の火災を検出することができる。特に、例えば、睡眠中のユーザの口元付近の空気をセンサ５に送ることができるので、前述の「燻焼火災」の発生直後に火災を検出することができ、睡眠中のユーザが有毒ガスを吸って有毒ガス中毒等を引き起こすのを防止することができる。
【００４８】
また、一度ユーザが睡眠していないものと判定した後に、ユーザが睡眠しているものと判定した場合に、センサ５に対して送られる空気の量を増大させることにより、例えば、ユーザが睡眠している場合に監視領域の火災を迅速に検出することができるので、睡眠中におけるユーザの安全性を確実に確保することができる。また、例えば、ユーザの口元付近のＣＯガスを、ユーザの口元付近から遠ざけることができるので、睡眠中のユーザがＣＯガスを吸うのを効果的に防止することができる。
【００４９】
また、火災についての警報を行うことにより、例えば、監視領域における火災をユーザ等に警報することができるので、ユーザの安全性を一層確実に確保することができる。
【００５０】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００５１】
（解決しようとする課題や発明の効果について）
まず、発明が解決しようとする課題や発明の効果は、上述の内容に限定されるものではなく、発明の実施環境や構成の詳細に応じて異なる可能性があり、上述した課題の一部のみを解決したり、上述した効果の一部のみを奏したりすることがある。
【００５２】
（分散や統合について）
また、上述した構成は機能概念的なものであり、必ずしも物理的に図示の如く構成されていることを要しない。すなわち、各部の分散や統合の具体的形態は図示のものに限られず、その全部または一部を、任意の単位で機能的または物理的に分散又は統合して構成できる。本出願における「システム」とは、複数の装置によって構成されたものに限定されず、単一の装置によって構成されたものを含む。また、本出願における「装置」とは、単一の装置によって構成されたものに限定されず、複数の装置によって構成されたものを含む。
【００５３】
（警報について（その１））
また、上記実施の形態では、図４のＳＡ５において、図２の通信部１、ディスプレイ３、及びスピーカ４を用いて警報を行う場合について説明したが、これに限らない。例えば、図２の防災端末１００にバイブレーション機能が設けられており、当該バイブレーション機能による振動を用いて、警報を行ってもよい。
【００５４】
（警報について（その２））
また、図４のＳＡ５において、図２の防災端末１００が、他の装置と連動して、警報を行ってもよい。具体的には、監視領域が住宅における複数の部屋であり、当該複数の部屋各々には、互いに連動して動作する公知の住宅用火災警報器が設けられていることとし、防災端末１００が、当該住宅用火災警報器と連動して、防災端末１００が設けられている部屋、又は、防災端末１００が設けられていない部屋に警報してもよい。また、監視領域の異常（火災を含む）を外部に通報する装置である通報装置が設けられていることとし、防災端末１００が、通報装置と連動して（つまり、通報装置を介して）、外部に警報してもよい。
【００５５】
（警報について（その３））
また、図４のＳＡ５において行う警報について、警報態様を変化させることが可能となっていてもよい。具体的には、睡眠判定部８１の判定結果に基づいて、警報態様を変化させてもよい。例えば、ＳＡ５を実行する場合においても、ＳＡ１及びＳＡ２の判定を繰り返し行うようにし、「ＳＡ１の判定結果」＝「ユーザが睡眠していない」の場合（以下、覚醒の場合）、「ＳＡ１の判定結果」＝「ユーザが睡眠している」及び「ＳＡ２の判定結果」＝「ユーザの睡眠が深くない」の場合（以下、浅い睡眠の場合）、「ＳＡ１の判定結果」＝「ユーザが睡眠している」及び「ＳＡ２の判定結果」＝「ユーザの睡眠が深い」の場合（以下、深い睡眠の場合）において、警報態様を互いに異ならせてもよい。より詳細には、例えば、警報を行っているにも関わらず、睡眠しているユーザがなかなか覚醒しないこと等を考慮して、警報を行った後において、所定時間（例えば、２０秒等）経過した後にも未だ「浅い睡眠の場合」又は「深い睡眠の場合」の場合は、図２のスピーカ４から出力される音声情報の音量を増大したり、また、「変形例」の「（警報について（その１））」のバイブレーション機能による振動のパターンを変化させたりする等の拡大警報を行ってもよい。また、例えば、睡眠の状態に応じて適切な警報を行って、近所への騒音を防止するという観点から、「深い睡眠の場合」、「浅い睡眠の場合」、及び「覚醒の場合」の順に、図２のスピーカ４から出力される音声情報の音量が次第に小さくなるように、警報を行ってもよい（つまり、「深い睡眠の場合」が最大音量、「覚醒の場合」が最小音量）。
【００５６】
（睡眠判定部）
また、上記実施の形態では、図４のＳＡ１及びＳＡ２において、加速度検出手段の検出結果に基づいて、睡眠について判定する場合について説明したが、これに限らない。例えば、睡眠中のユーザのいびきの音、脈拍、又は呼吸数等を検出する機能である生体情報検出機能を、図２の防災端末１００に設けて、当該生体情報検出機能の検出結果を用いて、睡眠について判定してもよい。また、例えば、マイクロ波等を含む電波を用いてユーザの胸の動きを観察して、観察結果に基づいて、ユーザの呼吸数又は呼吸状態を特定し、特定結果に基づいて判定してもよい。
【００５７】
（防災処理の各ステップについて）
また、上記実施の形態の図４の防災処理において、一部の処理を省略したり、変更したり、新たに追加したりしてもよい。具体的には、ＳＡ５の後に、復旧するか否かを判定するステップ（以下、復旧判定ステップ）と、復旧するステップ（以下、復旧実行ステップ）とを設けてもよい。そして、「復旧判定ステップ」において、図２の制御部８は、タッチパッド２を関して、復旧するための所定の操作入力がユーザによって入力されたか否かを判定し、入力されなかった場合、入力されるまで当該「復旧判定ステップ」を繰り返し実行し、入力された場合、「復旧実行ステップ」に移行してもよい。また、「復旧実行ステップ」において、図２の制御部８は、図４のＳＡ５で行った警報を停止することにより、復旧を実行してもよい。
【００５８】
また、図２の睡眠判定部８１の判定結果に基づいて、火災検出部８２を動作させたり、動作させなかったりしてもよい。具体的には、図４のＳＡ６を省略した上で、ＳＡ１がＮＯの場合に、ファン６を停止した後、ＳＡ１がＹＥＳとなるまで繰り返しＳＡ１を実行するようにしてもよい。
【００５９】
（他の装置等への適用について）
また、上記実施の形態の概念を「端末装置」以外の装置に適用してもよい。具体的には、図２の防災端末１００の各部全てを、スマートフォンのクレードル、ベッド、枕、布団、目覚まし時計、目覚まし時計の周辺（ビジネスホテルのベッドサイドのデジタル時計周辺を含む）、又は空気清浄器等（以下、「スマートフォンのクレードル、ベッド、枕、布団、目覚まし時計、目覚まし時計の周辺（ビジネスホテルのベッドサイドのデジタル時計周辺を含む）、又は空気清浄器等」を、「ユーザの周辺装置等」と称する）のうちの１つの対象のみに設けてもよいし、また、「ユーザの周辺装置等」から任意に選択した複数の対象に設けてもよいし、また、防災端末１００の各部から選択した任意の機能を「ユーザの周辺装置等」から任意に選択した複数の対象に分散して設けてもよい。
【００６０】
また、防災端末１００の各部のうちの少なくとも１つの機能を「ユーザの周辺装置等」に設けた上で、防災端末１００の各部のうちの当該「少なくとも１つの機能」以外の機能を、「ユーザの周辺装置等」以外の対象（例えば、ユーザから離れた位置に設けられている対象（具体的には、従来から用いられている警報器であって、天井又は壁等に設定されている警報器等））に設けてもよい。なお、少なくとも、図２のセンサ５を前述の「少なくとも１つの機能」として、「ユーザの周辺装置等」に設けてもよい。このように構成した場合、センサ５が、ユーザが睡眠する場合の当該ユーザの周囲に設けられる装置、家具、又は寝具に組み込まれていることにより、例えば、センサ５を睡眠中のユーザの周辺に設けることができるので、監視領域の検出対象の物理量を迅速に検出することができ、より迅速に監視領域の火災を検出することができる。
【００６１】
また、従来から用いられている警報器であって、天井又は壁等に設定されている警報器（以下、「従来の警報器」）に対して、図２の防災端末１００の少なくともセンサ５及び火災検出部８２と同様な機能を設けて、また、「従来の警報器」の周辺に防災端末１００のファン６を設けて、防災端末１００におけるセンサ５、ファン６、及び火災検出部８２以外の機能を前述の「ユーザの周辺装置等」に設けて、各機能の相互間で通信できるように構成した上で、図４の防災処理を行ってもよい。
【００６２】
（特徴について）
また、上記実施の形態の構成、及び変形例の特徴を、任意に組み合わせてもよい。
【００６３】
（付記）
付記１の防災システムは、ユーザが存在する領域である監視領域の火災を検出する防災システムであって、前記ユーザの睡眠について判定する睡眠判定手段と、前記監視領域の空気中の検出対象の物理量を検出する検出対象検出手段と、前記検出対象検出手段の検出結果に基づいて、前記監視領域の火災を検出するための火災検出手段と、前記検出対象検出手段に対して前記監視領域の空気を送る送風手段と、を備え、前記送風手段は、前記睡眠判定手段の判定結果に基づいて、前記監視領域の空気を送るための状態を変化させる。
【００６４】
付記２の防災システムは、付記１に記載の防災システムにおいて、前記睡眠判定手段は、前記ユーザが睡眠しているか否かを判定し、前記送風手段は、前記睡眠判定手段が前記ユーザが睡眠しているものと判定した場合に、前記検出対象検出手段に対して送られる空気の量を増大させる。
【００６５】
付記３の防災システムは、付記１又は２に記載の防災システムにおいて、前記火災検出手段の検出結果に基づいて、火災についての警報を行う火災警報手段、を備える。
【００６６】
付記４の防災システムは、付記３に記載の防災システムにおいて、前記火災警報手段は、警報態様を変化させることが可能となっている。
【００６７】
付記５の防災システムは、付記１から４のいずれか一項に記載の防災システムにおいて、少なくとも前記検出対象検出手段は、前記ユーザが睡眠する場合の当該ユーザの周囲に設けられる装置、家具、又は寝具に組み込まれている。
【００６８】
（付記の効果）
付記１に記載の防災システムによれば、睡眠判定手段の判定結果に基づいて、監視領域の空気を送るための状態を変化させることにより、例えば、ユーザの睡眠を考慮して検出対象検出手段に空気を送るための状態を変化させることができるので、ユーザの睡眠を考慮して迅速且つ確実に監視領域の火災を検出することができる。特に、例えば、睡眠中のユーザの口元付近の空気を検出対象検出手段に送ることができるので、前述の「燻焼火災」の発生直後に火災を検出することができ、睡眠中のユーザが有毒ガスを吸って有毒ガス等を引き起こすのを防止することができる。
【００６９】
付記２に記載の防災システムによれば、ユーザが睡眠しているものと判定した場合に、検出対象検出手段に対して送られる空気の量を増大させることにより、例えば、ユーザが睡眠している場合に監視領域の火災を迅速に検出することができるので、睡眠中におけるユーザの安全性を確実に確保することができる。また、例えば、ユーザの口元付近の一酸化炭素ガスを、ユーザの口元付近から遠ざけることができるので、睡眠中のユーザが一酸化炭素ガスを吸うのを効果的に防止することができる。
【００７０】
付記３に記載の防災システムによれば、火災についての警報を行うことにより、例えば、監視領域における火災をユーザ等に警報することができるので、ユーザの安全性を一層確実に確保することができる。
【００７１】
付記４に記載の防災システムによれば、警報態様を変化させることが可能となっていることにより、例えば、睡眠中のユーザを起こす（覚醒させる）ことができるので、ユーザの安全性をより一層確実に確保することができる。
【００７２】
付記５に記載の防災システムによれば、検出対象検出手段が、ユーザが睡眠する場合の当該ユーザの周囲に設けられる装置、家具、又は寝具に組み込まれていることにより、例えば、検出対象検出手段を睡眠中のユーザの周辺に設けることができるので、監視領域の検出対象の物理量を迅速に検出することができ、より迅速に監視領域の火災を検出することができる。
【符号の説明】
【００７３】
１  通信部
２  タッチパッド
３  ディスプレイ
４  スピーカ
５  センサ
６  ファン
７  記録部
８  制御部
８１  睡眠判定部
８２  火災検出部
１００  防災端末
【図１】
2017151699.tif 000003
【図２】
2017151699.tif 000004
【図３】
2017151699.tif 000005
【図４】
2017151699.tif 000006